(57)【要約】      （修正有）【課題】リソグラフィ装置で使用するために、基板の厚さ及び平坦さの通常の変動より大きい高さ範囲で確実な測定結果を提供するレベルセンサを提供する。【解決手段】基板の高さレベルを決定するように構成され、周期的な光強度を有する測定ビームを基板に投影する投影ユニットと、基板で反射した測定ビームを受ける検出ユニットとを備える。検出ユニットが、反射した測定ビームを受けるように配置された検出格子１１を備え、検出格子１１が投影される前記投影ビームの周期の長さと実質的に等しい長さを有する３つ以上のセグメント１３ａ、１３ｂ、１３ｃを備え、反射した測定ビーム１４を３つ以上の反射測定ビーム部分１４ａ、１４ｂ、１４ｃに分割するように構成され、３つ以上の検出器がそれぞれ測定ビーム部分のうちの１つを受けるように配置され、さらに、検出器が受けた測定ビーム部分に基づいて高さレベルを計算する処理ユニットを備える。【選択図】図４
2011203248.tif 000002
【特許請求の範囲】
【請求項１】
基板の高さレベルを決定するように構成されたレベルセンサであって、
測定ビームを前記基板に投影する投影ユニットであって、
測定ビームを提供する光源と、
前記測定ビームを受け、前記測定ビームに実質的に周期的な光強度を与えるように配置された投影格子と、
を備える投影ユニットと、
前記基板で反射した後に、前記測定ビームを受けるように配置された検出ユニットであって、
前記反射した測定ビームを受けるように配置された検出格子であって、前記検出格子が、一緒に前記検出格子に投影される前記投影ビームの周期の長さと実質的に等しい長さを有する３つ以上のセグメントの少なくとも１つのアレイを備え、前記３つ以上のセグメントが、前記反射した測定ビームを３つ以上の反射した測定ビーム部分に分割するように構成された検出格子と、
それぞれが前記３つ以上の測定ビーム部分のうちの１つを受けるように配置された３つ以上の検出器と、
を備える検出ユニットと、
前記３つ以上の検出器が受けた前記測定ビーム部分に基づいて高さレベルを計算する処理ユニットと、
を備えるレベルセンサ。
【請求項２】
前記周期的な光強度が、正弦波形状を有する、請求項１に記載のレベルセンサ。
【請求項３】
前記検出格子が、３つ以上のセグメントの隣接する複数のアレイを備え、３つ以上のセグメントの各アレイが、前記周期的な光強度の周期と実質的に等しい長さを有する、請求項１に記載のレベルセンサ。
【請求項４】
前記レベルセンサが、複数の測定ビームを基板に向けて投影する複数の投影ユニットと、前記基板で反射した後に前記複数の測定ビームを受ける複数の検出ユニットとを備える、請求項１に記載のレベルセンサ。
【請求項５】
前記複数の投影ユニットの前記投影格子が、１つの投影格子要素に組み込まれる、請求項４に記載のレベルセンサ。
【請求項６】
前記複数の検出ユニットの前記検出格子が、１つの格子要素に組み込まれる、請求項４に記載のレベルセンサ。
【請求項７】
前記複数の投影ユニットが、複数の測定ビームを複数の測定位置に向けて投影するように構成され、前記複数の測定位置が、測定線上に配置される、請求項４に記載のレベルセンサ。
【請求項８】
３つ以上のセグメントの前記少なくとも１つのアレイの上面が、前記測定ビームの入射角に対して異なる角度を有する、請求項１に記載のレベルセンサ。
【請求項９】
前記レベルセンサが、傾斜測定デバイスをさらに備え、前記傾斜測定デバイスが、前記反射測定ビームの少なくとも一部を受けるように配置され、名目平面に対する前記基板の傾斜を表すチルト信号を提供するように構成される、請求項１に記載のレベルセンサ。
【請求項１０】
前記傾斜測定デバイスが、前記基板の前記傾斜に基づいて、前記測定デバイスによって測定された前記高さレベルを補正するために、前記処理ユニットに接続されて、前記チルト信号を前記処理ユニットに供給する、請求項９に記載のレベルセンサ。
【請求項１１】
前記レベルセンサが、前記投影ユニットから前記複数の測定ビームを受け、前記測定ビームを前記基板に誘導するように配置された第１の反射バーと、前記投影ユニットから前記反射した複数の測定ビームを受け、前記測定ビームを前記検出ユニットに誘導するように配置された第２の反射バーとを備える、請求項１に記載のレベルセンサ。
【請求項１２】
前記第１の反射バーが、前記基板の主平面に実質的に平行な平面で、前記投影ユニットから前記複数の測定ビームを受けるように構成され、前記第２の反射バーが、前記基板の主平面に実質的に水平な平面で、前記検出ユニットに前記複数の測定ビームを誘導するように構成される、請求項５に記載のレベルセンサ。
【請求項１３】
リソグラフィ装置であって、
放射ビームを調節するように構成された照明システムと、
パターン付放射ビームを形成するために前記放射ビームの断面にパターンを与えることができるパターニングデバイスを支持するように構築された支持体と、
基板を保持するように構築された基板テーブルと、
前記パターン付放射ビームを前記基板のターゲット部分に投影するように構成された投影システムと、
を備え、
前記リソグラフィ装置が、前記基板テーブル上の基板の高さレベルを測定するように構成されたレベルセンサを備え、前記レベルセンサが、
測定ビームを前記基板に投影する投影ユニットであって、
測定ビームを提供する光源と、
前記測定ビームを受け、前記測定ビームに実質的に周期的な光強度を与えるように配置された投影格子と、
を備える投影ユニットと、
前記基板で反射した後に前記測定ビームを受けるように配置された検出ユニットであって、
前記反射測定ビームを受けるように配置された検出格子であって、前記検出格子が、一緒に前記検出格子に投影される前記投影ビームの周期の長さと実質的に等しい長さを有する３つ以上のセグメントの少なくとも１つのアレイを備え、前記３つ以上のセグメントが、前記反射した測定ビームを３つ以上の反射測定ビーム部分に分割するように構成された検出格子と、
それぞれが３つ以上の測定ビーム部分のうちの１つを受けるように配置された３つ以上の検出器と、
を備える検出ユニットと、
前記３つ以上の検出器が受けた前記測定ビーム部分に基づいて高さレベルを計算する処理ユニットと、
を備えるリソグラフィ装置。
【請求項１４】
前記投影ユニット及び前記検出ユニットが、前記基板に隣接して配置され、前記基板が、前記測定位置に配置される、請求項１３に記載のリソグラフィ装置。
【請求項１５】
リソグラフィプロセスで使用するために基板の高さマップを決定する方法であって、
請求項１に記載のレベルセンサを提供するステップと、
基板を提供するステップと、
前記投影ユニットによって測定ビームを前記基板に投影し、前記検出ユニットで前記反射ビームを受け、前記処理ユニット内で高さレベルを決定することにより、測定位置で前記基板の前記高さを測定するステップと、
前記基板の複数の測定位置で前記測定ステップを繰り返すステップと、
前記高さレベルに基づいて前記基板の高さマップを決定するステップと、
を含む方法。
【発明の詳細な説明】
【技術分野】
【０００１】
本発明は、リソグラフィプロセスで使用するための基板の高さマップを決定するレベルセンサ、リソグラフィ装置及び方法に関する。
【背景技術】
【０００２】
リソグラフィ装置は、所望のパターンを基板に、通常は基板のターゲット部分に適用する機械である。リソグラフィ装置は、例えば、集積回路（ＩＣ）の製造に使用可能である。このような場合、代替的にマスク又はレチクルとも呼ばれるパターニングデバイスを使用して、ＩＣの個々の層上に形成すべき回路パターンを生成することができる。このパターンを、基板（例えばシリコンウェーハ）上のターゲット部分（例えば１つ又は幾つかのダイの一部を含む）に転写することができる。パターンの転写は通常、基板に設けた放射感応性材料（レジスト）の層への結像により行われる。一般的に、１枚の基板は、順次パターンが与えられる隣接したターゲット部分のネットワークを含んでいる。従来のリソグラフィ装置は、パターン全体をターゲット部分に１回で露光することによって各ターゲット部分が照射される、いわゆるステッパと、基板を所与の方向（「スキャン」方向）と平行あるいは逆平行に同期的にスキャンしながら、パターンを所与の方向（「スキャン」方向）に放射ビームでスキャンすることにより、各ターゲット部分が照射される、いわゆるスキャナとを含む。パターンを基板にインプリントすることによっても、パターニングデバイスから基板へとパターンを転写することが可能である。
【０００３】
パターンを投影する基板の表面は通常、完全には平坦ではない。さらに、基板は数ミクロンの厚さの変動を示すことがある。基板表面のこの平坦さ及び厚さの変動は、例えば焦点誤差又は結像誤差によるパターンの不正確な投影をもたらすことがある。
【０００４】
ウェーハの非平坦さ及び厚さの変動を補正するために、レベルセンサを提供し、好ましくはリソグラフィ装置に組み込むように提案されている。このようなレベルセンサを用いて、パターンを基板に投影する前に基板の高さマップを決定することができる。その後この高さマップを用いて、パターンを基板に投影中に基板の位置を補正することができる。
【０００５】
従来の実施形態では、光学的三角測距方式を使用する複数スポットのレベルセンサを提供して、基板の高さマップを決定する。基板をレベルセンサに対して移動し、基板の表面にわたって異なる測定位置で高さレベルを決定して基板の高さマップを得る。
【０００６】
この従来のレベルセンサの欠点は、レベルセンサの測定範囲が、約１μｍの高さ範囲で確実な測定結果を得るのに十分な線形に過ぎないことである。この測定範囲は、基板の平坦さ及び高さにおける通常の変動より小さい。基板の高さマップを正確に決定するために、さらなる措置を取らなければならない。
【０００７】
レベルセンサの精度を改良するために線形化技術を使用することが可能であるが、これらの技術を使用した場合、確実な結果が得られる高さの範囲は、基板の平坦さ及び厚さの通常の変動に対してまだ比較的小さい。
【０００８】
したがって、レベルセンサの確実な測定範囲内でそれぞれの測定位置を維持するために、基板の様々な測定位置で高さのレベルを測定中に閉ループ高さ制御が必要である。この方法で、レベルセンサが正確な結果を提供する高さの小さい範囲が最適に使用される。しかし、閉ループ高さ制御の要件がレベルセンサの測定速度を制限する。何故なら、その後の測定位置をレベルセンサの確実な測定範囲内に維持するために、基板を連続的に位置変更しなければならないからである。
【０００９】
さらに閉ループ高さ制御の要件により、複数の測定位置で高さを同時に測定することが、不可能ではないまでも、実際的に困難になる。何故なら、レベルセンサの同じ限られた測定範囲内に複数の測定位置を同時に配置することができないからである。
【発明の概要】
【００１０】
リソグラフィ装置で使用するために、基板の厚さ及び平坦さの通常の変動より大きい高さ範囲で確実な測定結果を提供することが好ましい代替的レベルセンサを提供することが望ましい。
【００１１】
本発明のある実施形態によれば、基板の高さレベルを決定するように構成されたレベルセンサが提供される。このレベルセンサは、
測定ビームを基板に投影する投影ユニットであって、
測定ビームを提供する光源と、
測定ビームを受け、測定ビームに実質的に周期的な光強度を与えるように配置された投影格子と、
を備える投影ユニットと、
基板で反射した後に、測定ビームを受けるように配置された検出ユニットであって、
反射した測定ビームを受けるように配置された検出格子を備え、検出格子は、一緒に検出格子に投影される上記投影ビームの周期の長さと実質的に等しい長さを有する３つ以上のセグメントの少なくとも１つのアレイを備え、３つ以上のセグメントは、反射した測定ビームを３つ以上の反射した測定ビーム部分に分割するように構成され、さらに、
それぞれが３つ以上の測定ビーム部分のうちの１つを受けるように配置された３つ以上の検出器を備える検出ユニットと、
３つ以上の検出器が受けた測定ビーム部分に基づいて高さレベルを計算する処理ユニットと、
を備える。
【００１２】
本発明のある実施形態によれば、リソグラフィ装置が提供される。このリソグラフィ装置は、
放射ビームを調節するように構成された照明システムと、
パターン付放射ビームを形成するために放射ビームの断面にパターンを与えることができるパターニングデバイスを支持するように構築された支持体と、
基板を保持するように構築された基板テーブルと、
パターン付放射ビームを基板のターゲット部分に投影するように構成された投影システムと、
を備え、
リソグラフィ装置は、基板テーブル上の基板の高さレベルを測定するように構成されたレベルセンサを備え、レベルセンサは、
測定ビームを基板に投影する投影ユニットであって、
測定ビームを提供する光源と、
測定ビームを受け、測定ビームに実質的に周期的な光強度を与えるように配置された投影格子と、
を備える投影ユニットと、
基板で反射した後に測定ビームを受けるように配置された検出ユニットであって、
反射測定ビームを受けるように配置された検出格子を備え、検出格子は、一緒に検出格子に投影される上記投影ビームの周期の長さと実質的に等しい長さを有する３つ以上のセグメントの少なくとも１つのアレイを備え、３つ以上のセグメントは、反射した測定ビームを３つ以上の反射測定ビーム部分に分割するように構成され、さらに、
それぞれが３つ以上の測定ビーム部分のうちの１つを受けるように配置された３つ以上の検出器を備える検出ユニットと、
３つ以上の検出器が受けた測定ビーム部分に基づいて高さレベルを計算する処理ユニットと、
を備える。
【００１３】
本発明のある実施形態によれば、リソグラフィプロセスで使用するために基板の高さマップを決定する方法が提供される。この方法は、
基板の高さレベルを決定するように構成されたレベルセンサを提供するステップと、レベルセンサは、
測定ビームを基板に投影する投影ユニットであって、
測定ビームを提供する光源と、
測定ビームを受け、測定ビームに実質的に周期的な光強度を与えるように配置された投影格子と、
を備える投影ユニットと、
基板で反射した後に、測定ビームを受けるように配置された検出ユニットであって、
反射した測定ビームを受けるように配置された検出格子を備え、検出格子は、一緒に検出格子に投影される上記投影ビームの周期の長さと実質的に等しい長さを有する３つ以上のセグメントの少なくとも１つのアレイを備え、３つ以上のセグメントは、反射した測定ビームを３つ以上の反射測定ビーム部分に分割するように構成され、さらに、
それぞれが３つ以上の測定ビーム部分のうちの１つを受けるように配置された３つ以上の検出器を備える検出ユニットと、
３つ以上の検出器が受けた測定ビーム部分に基づいて高さレベルを計算する処理ユニットとを備え、
基板を提供するステップと、
投影ユニットによって測定ビームを基板に投影し、上記検出ユニットで反射ビームを受け、処理ユニット内で高さレベルを決定することにより、測定位置で基板の高さを測定するステップと、
基板の複数の測定位置で測定ステップを繰り返すステップと、
高さレベルに基づいて基板の高さマップを決定するステップと、
を含む。
【図面の簡単な説明】
【００１４】
対応する参照符号が対応する部分を示す添付の概略図を参照しながら以下に本発明の実施形態について説明するが、これは単に例示としてのものに過ぎない。
【図１】本発明のある実施形態によるリソグラフィ装置を示す図である。
【図２】本発明によるレベルセンサの実施形態の側面図である。
【図３】投影格子（左側）及び得られた像（右側）の略図である。
【図４】図４ａは検出格子のある実施形態の側面図である。図４ｂは図４ａの検出格子の詳細図である。
【図５】複数の測定位置を有するレベルセンサの実施形態の上面図である。
【図６】傾斜測定デバイスを備えるレベルセンサの実施形態の側面図である。
【図７】複数の測定位置を有するレベルセンサのビームデリバリシステムの第１の実施形態の上面図である。
【図８】複数の測定位置を有するレベルセンサのビームデリバリシステムの第２の実施形態の上面図である。
【図９】複数の測定位置を有するレベルセンサのビームデリバリシステムの第２の実施形態の断面図である。
【図１０】複数の測定位置を有するレベルセンサのビームデリバリシステムの第２の実施形態の側面図である。
【発明を実施するための形態】
【００１５】
図１は、本発明の一実施形態によるリソグラフィ装置を概略的に示す。この装置は、放射ビームＢ（例えば、ＵＶ放射又は任意の他の適切な放射）を調節するように構成された照明システム（イルミネータ）ＩＬと、パターニングデバイス（例えば、マスク）ＭＡを支持するように構築され、特定のパラメータに従ってパターニングデバイスを正確に配置するように構成された第１の位置決めデバイスＰＭに接続されたマスク支持構造（例えば、マスクテーブル）ＭＴとを含む。この装置は、また、基板（例えば、レジストコートウェーハ）Ｗを保持するように構築され、特定のパラメータに従って基板を正確に配置するように構成された第２の位置決めデバイスＰＷに接続された基板テーブル（例えば、ウェーハテーブル）ＷＴ又は「基板支持体」を含む。さらに、この装置は、基板Ｗのターゲット部分Ｃ（例えば、１つ又は複数のダイを含む）上にパターニングデバイスＭＡによって放射ビームＢへ付与されたパターンを投影するように構成された投影システム（例えば、屈折投影レンズシステム）ＰＳを含む。
【００１６】
照明システムは、放射の誘導、整形、又は制御を行うための、屈折、反射、磁気、電磁気、静電気型等の光学コンポーネント、又はその任意の組合せなどの種々のタイプの光学コンポーネントを含んでいてもよい。
【００１７】
マスク支持構造は、パターニングデバイスを支持、すなわちその重量を支えている。マスク支持構造は、パターニングデバイスの方向、リソグラフィ装置の設計等の条件、例えばパターニングデバイスが真空環境で保持されているか否かに応じた方法でパターニングデバイスを保持する。このマスク支持構造は、パターニングデバイスを保持するために、機械的、真空、静電気等のクランプ技術を使用することができる。マスク支持構造は、例えばフレーム又はテーブルでよく、必要に応じて固定式又は可動式でよい。マスク支持構造は、パターニングデバイスが例えば投影システムに対して確実に所望の位置にくるようにできる。本明細書において「レチクル」又は「マスク」という用語を使用した場合、その用語は、より一般的な用語である「パターニングデバイス」と同義と見なすことができる。
【００１８】
本明細書において使用する「パターニングデバイス」という用語は、基板のターゲット部分にパターンを生成するように、放射ビームの断面にパターンを与えるために使用し得る任意のデバイスを指すものとして広義に解釈されるべきである。ここで、放射ビームに与えられるパターンは、例えばパターンが位相シフトフィーチャ又はいわゆるアシストフィーチャを含む場合、基板のターゲット部分における所望のパターンに正確には対応しないことがある点に留意されたい。一般的に、放射ビームに与えられるパターンは、集積回路などのターゲット部分に生成されるデバイスの特定の機能層に相当する。
【００１９】
パターニングデバイスは透過性又は反射性でよい。パターニングデバイスの例には、マスク、プログラマブルミラーアレイ、及びプログラマブルＬＣＤパネルがある。マスクはリソグラフィにおいて周知のものであり、これには、バイナリマスク、レベンソン型(alternating)位相シフトマスク、ハーフトーン型(attenuated)位相シフトマスクのようなマスクタイプ、さらには様々なハイブリッドマスクタイプも含まれる。プログラマブルミラーアレイの一例として、小さなミラーのマトリクス配列を使用し、そのミラーは各々、入射する放射ビームを異なる方向に反射するよう個々に傾斜することができる。傾斜したミラーは、ミラーマトリクスによって反射する放射ビームにパターンを与える。
【００２０】
本明細書において使用する「投影システム」という用語は、例えば使用する露光放射、又は液浸液の使用や真空の使用などの他の要因に合わせて適宜、例えば屈折光学システム、反射光学システム、反射屈折光学システム、磁気光学システム、電磁気光学システム及び静電気光学システム、又はその任意の組合せを含む任意のタイプの投影システムを網羅するものとして広義に解釈されるべきである。本明細書において「投影レンズ」という用語を使用した場合、これはさらに一般的な「投影システム」という用語と同義と見なすことができる。
【００２１】
本明細書で示すように、本装置は透過タイプである（例えば透過マスクを使用する）。あるいは、装置は反射タイプでもよい（例えば上記で言及したようなタイプのプログラマブルミラーアレイを使用する、又は反射マスクを使用する）。
【００２２】
リソグラフィ装置は、２つ（デュアルステージ）又はそれ以上の基板テーブル又は「基板支持体」（及び／又は２つ以上のマスクテーブル又は「マスク支持体」）を有するタイプでよい。このような「マルチステージ」機械においては、追加のテーブル又は支持体を並行して使用するか、１つ又は複数の他のテーブル又は支持体を露光に使用している間に１つ又は複数のテーブル又は支持体で予備工程を実行することができる。
【００２３】
リソグラフィ装置は、投影システムと基板との間の空間を充填するように、基板の少なくとも一部を水などの比較的高い屈折率を有する液体で覆えるタイプでもよい。液浸液は、例えばマスクと投影システムの間など、リソグラフィ装置の他の空間に適用することもできる。液浸技術を用いて投影システムの開口数を増加させることができる。本明細書で使用する「液浸」という用語は、基板などの構造を液体に沈めなければならないという意味ではなく、露光中に投影システムと基板の間に液体が存在するというほどの意味である。
【００２４】
図１を参照すると、イルミネータＩＬは放射源ＳＯから放射ビームを受ける。放射源とリソグラフィ装置とは、例えば放射源がエキシマレーザである場合に、別々の構成要素であってもよい。このような場合、放射源はリソグラフィ装置の一部を形成すると見なされず、放射ビームは、例えば適切な誘導ミラー及び／又はビームエクスパンダなどを含むビームデリバリシステムＢＤの助けにより、放射源ＳＯからイルミネータＩＬへと渡される。他の事例では、例えば放射源が水銀ランプの場合は、放射源がリソグラフィ装置の一体部分であってもよい。放射源ＳＯ及びイルミネータＩＬは、必要に応じてビームデリバリシステムＢＤとともに放射システムと呼ぶことができる。
【００２５】
イルミネータＩＬは、放射ビームの角度強度分布を調整するように構成されたアジャスタＡＤを含んでいてもよい。通常、イルミネータＩＬの瞳面における強度分布の外側及び／又は内側半径範囲（一般にそれぞれ、σ-outer及びσ-innerと呼ばれる）を調整することができる。また、イルミネータＩＬは、インテグレータＩＮ及びコンデンサＣＯなどの他の種々のコンポーネントを備えていてもよい。イルミネータＩＬを用いて放射ビームを調節し、その断面にわたって所望の均一性と強度分布とが得られるようにしてもよい。
【００２６】
放射ビームＢは、マスク支持構造（例えば、マスクテーブルＭＴ）上に保持されたパターニングデバイス（例えば、マスクＭＡ）に入射し、パターニングデバイスによってパターン形成される。マスクＭＡを横断した放射ビームＢは、投影システムＰＳを通過し、投影システムＰＳは、ビームを基板Ｗのターゲット部分Ｃ上に合焦させる。第２の位置決めデバイスＰＷ及び位置センサＩＦ（例えば、干渉計デバイス、リニアエンコーダ又は容量センサ）の助けにより、基板テーブルＷＴを、例えば、様々なターゲット部分Ｃを放射ビームＢの経路に位置決めするように正確に移動できる。同様に、第１の位置決めデバイスＰＭと別の位置センサ（図１には明示されていない）を用いて、マスクライブラリからの機械的な取り出し後又はスキャン中などに放射ビームＢの経路に対してマスクＭＡを正確に位置決めできる。一般に、マスクテーブルＭＴの移動は、第１の位置決めデバイスＰＭの部分を形成するロングストロークモジュール（粗動位置決め）及びショートストロークモジュール（微動位置決め）の助けにより実現できる。同様に、基板テーブルＷＴ又は「基板支持体」の移動は、第２のポジショナＰＷの部分を形成するロングストロークモジュール及びショートストロークモジュールを用いて実現できる。ステッパの場合（スキャナとは対照的に）、マスクテーブルＭＴをショートストロークアクチュエータのみに接続するか、又は固定してもよい。マスクＭＡ及び基板Ｗは、マスクアライメントマークＭ１、Ｍ２及び基板アライメントマークＰ１、Ｐ２を使用して位置合わせすることができる。図示のような基板アライメントマークは、専用のターゲット部分を占有するが、ターゲット部分の間の空間に位置してもよい（スクライブレーンアライメントマークとして周知である）。同様に、マスクＭＡ上に複数のダイを設ける状況では、マスクアライメントマークをダイ間に配置してもよい。
【００２７】
図示のリソグラフィ装置は、以下のモードのうち少なくとも１つにて使用可能である。
１．ステップモードでは、マスクテーブルＭＴ又は「マスク支持体」及び基板テーブルＷＴ又は「基板支持体」は、基本的に静止状態に維持される一方、放射ビームに与えたパターン全体が１回でターゲット部分Ｃに投影される（すなわち単一静的露光）。次に、別のターゲット部分Ｃを露光できるように、基板テーブルＷＴ又は「基板支持体」がＸ方向及び／又はＹ方向に移動される。ステップモードでは、露光フィールドの最大サイズによって、単一静的露光で像が形成されるターゲット部分Ｃのサイズが制限される。
２．スキャンモードでは、マスクテーブルＭＴ又は「マスク支持体」及び基板テーブルＷＴ又は「基板支持体」は同期的にスキャンされる一方、放射ビームに与えられるパターンがターゲット部分Ｃに投影される（すなわち単一動的露光）。マスクテーブルＭＴ又は「マスク支持体」」に対する基板テーブルＷＴ又は「基板支持体」の速度及び方向は、投影システムＰＳの拡大（縮小）及び像反転特性によって求めることができる。スキャンモードでは、露光フィールドの最大サイズによって、単一動的露光におけるターゲット部分の（非スキャン方向における）幅が制限され、スキャン動作の長さによってターゲット部分の（スキャン方向における）高さが決まる。
３．別のモードでは、マスクテーブルＭＴ又は「マスク支持体」はプログラマブルパターニングデバイスを保持して基本的に静止状態に維持され、基板テーブルＷＴ又は「基板支持体」を移動又はスキャンさせながら、放射ビームに与えられたパターンをターゲット部分Ｃに投影する。このモードでは、一般にパルス状放射源を使用して、基板テーブルＷＴ又は「基板支持体」を移動させる毎に、又はスキャン中に連続する放射パルスの間で、プログラマブルパターニングデバイスを必要に応じて更新する。この動作モードは、以上で言及したようなタイプのプログラマブルミラーアレイなどのプログラマブルパターニングデバイスを使用するマスクレスリソグラフィに容易に利用できる。
【００２８】
上述した使用モードの組合せ及び／又は変形、又は全く異なる使用モードも利用できる。
【００２９】
図１には、リソグラフィ装置で本発明によるレベルセンサ１の可能な位置が示されている。基板支持体ＷＴ及びその上に支持された基板Ｗが、基板の測定位置に点線で示されている。この測定位置で、基板Ｗの高さレベルを決定することができる。
【００３０】
レベルセンサ
図２は、全体が参照番号１で示されているレベルセンサを示す。レベルセンサ１は、基板２の高さマップを決定するように構成される。この高さマップを用いてパターンを基板２に投影中に基板の位置を補正することができる。レベルセンサは独立したデバイス内に配置することができるが、図１に示すようにリソグラフィ装置内に組み込むことが好ましい。
【００３１】
レベルセンサ１は、投影ユニット３と、検出ユニット４と、処理ユニット５とを備える。投影ユニット３は、光源６と、投影格子７とを備える。光源６は、任意の適切な光源であってよい。これは広帯域光源であるが、偏光又は非偏光レーザビームも使用することができる。光源６は、投影格子７に誘導される測定ビームを提供する。
【００３２】
投影格子７は周期的格子、すなわち、周期的構造を有するパターンを備え、その結果、測定ビームの光強度は周期的構造を有している。図３の左側は、周期的構造を有するこのような投影格子の例を示す。周期的光強度を有する測定ビームは、光リフレクタ９を介して測定位置８に向かって誘導される。基板は、この測定位置８に配置される。測定ビームを基板２に向かって案内するために、別の光学要素を設けることができる。測定位置８にて、測定ビームは基板２上で反射し、第２の光リフレクタ１０を介し、場合によっては別の光学要素を介して検出ユニット４へと進む。検出ユニット４は、検出格子１１と、３つの検出器１２ａ、１２ｂ、１２ｃとを備える。
【００３３】
検出格子１１は、図４に示すような周期的構造を有する。この周期的構造は、周期ごとに３つのセグメント１３ａ、１３ｂ、１３ｃのアレイを備える。セグメントのアレイ内にある各セグメントの上面は、測定ビーム１４の入射角に対して異なる角度を有する。その結果、測定ビームは３つのセグメントによって３つの測定ビーム部分１４ａ、１４ｂ、１４ｃに分割され、それぞれは３つの検出器１２ａ、１２ｂ、１２ｃの１つに、例えば光ダイオード又は光の強度を測定することができる他の要素のうちの１つに誘導される。
【００３４】
セグメントのアレイにあるセグメントの構造は周期的であるので、セグメントのアレイごとにそれぞれの各セグメント１３ａ、１３ｂ、１３ｃは、そのセグメントが受けた測定ビームの一部を関連する検出器１４ａ、１４ｂ、１４ｃに向かって誘導する。したがって、すべての第１のセグメント１３ａは測定ビームの放射を第１の検出器１４ａに向かって誘導し、周期的構造の第２のセグメント１３ｂは第２の検出器１２ｂに向かって誘導し、周期的構造の第３のセグメント１３ｃは第３の検出器１４ｃに向かって誘導する。
【００３５】
測定された光の強度は処理ユニット５で受信し、異なる検出器で受信した光の強度に基づいて、以下に例示的実施形態について説明するように、基板２の高さレベルを推定することができる。
【００３６】
再度図３を参照すると、図３の左側に示されている周期的構造は、約３０μｍの長さＬ及び約４μｍの幅Ｗを有する菱形で構成される。レベルセンサに使用される結像光学系のＮＡが小さいので、投影格子の幅方向における周期性は解像されず、投影格子７の長さ方向Ｌの周期性は解像される。代替実施形態では、周期性が幅方向でも解像できることに留意されたい。
【００３７】
図３の右側には、基板２上のこの周期的構造の結果として得られる投影像が示されている。図３の像は、投影像が投影格子７の長さ方向に周期性を有することを示す。この像は基板２の上面で反射し、検出ユニット４に向かう。検出ユニット４の検出格子１１が受ける強度の分布は、正弦波状強度分布によって概算することができ、強度は、基板の高さによって引き起こされる像の長さ方向の変数ｘ及びシフトｓに依存する。
【数１】
2011203248.tif 000003
この式では、正弦関数的変化のピッチは２πと等しくなるように選択される。像のシフトｓは、基板の高さによって決定される。このシフトｓを決定して、これも未知の変数であるパラメータＡ及びＢを考慮に入れながら、それぞれの測定位置８における基板の高さを計算する。
【００３８】
図４は、例示のために、３つのセグメント１３ａ、１３ｂ及び１３ｃの上にある正弦波状強度分布の空間像ＡＩを示す。セグメント１３ａ、１３ｂ、１３ｃはそれぞれ、強度分布の別の部分を受ける。セグメント１３ａ、１３ｂ、１３ｃの角度が異なるので、強度分布の各部分は検出器１２ａ、１２ｂ、１２ｃのそれぞれに案内される。検出器１２ａ、１２ｂ、１２ｃが受ける光の強度は、測定位置８における基板の高さレベルを決定するために処理ユニット５に案内される。
【００３９】
検出器１２ａ、１２ｂ、１２ｃのそれぞれが受ける光の強度Ｄ１、Ｄ２及びＤ３は、以下の関係式で表すことができる。
【数２】
2011203248.tif 000004
３つの未知の変数を有するこれらの３つの式から直交信号を導出することができる。
【数３】
2011203248.tif 000005
これらの２つの直交信号によって、ｓの任意の値についてｓを見出すことができ、したがって基板の高さの変化に対して感度がゼロの状態で、直線性の誤差及び不感帯がない。その結果、レベルセンサ１は、±５μｍ、又はさらに±１０μｍを超える比較的大きい高さの範囲で基板の高さを決定するのに適している。したがって、高さレベルの測定中の閉ループの高さ制御の必要性をなくすことができる。
【００４０】
代替実施形態では、検出格子は測定ビームの周期ごとに４つ以上のセグメントを備えることができる。図４に示す実施形態では、セグメント１３ａ、１３ｂ、１３ｃはそれぞれ同じ長さｌｓを有する。代替実施形態では、セグメントの完全なアレイの長さが検出格子１１に投影される測定ビームの像の周期に対応する限り、セグメントは異なる長さを有することができる。
【００４１】
セグメントの上面の角度は、検出格子１１の主平面に対して約−１５°、０°及び１５°である。セグメントのそれぞれについて、任意の他の適切な角度を適用することができる。角度の差は、３つのビーム部分の強度差を決定できるように、測定ビームを３つの別個の検出器１２ａ、１２ｂ、１２ｃに誘導できる３つの識別可能なビーム部分に分割できるほど十分大きくなければならない。
【００４２】
基板２の高さレベルの測定は開ループで、比較的大きい高さ範囲で測定することができるので、レベルセンサ１は、複数の測定位置８での高さレベルを同時に測定するのに適している。レベルセンサ１の測定位置８を基板２上の様々な位置に配置するために様々な方法を適用することができる。
【００４３】
一実施形態では、スキャン動作にて基板２をレベルセンサ１に沿って動作させることができる。閉ループの高さ制御が不要であるので、この動作は一定速度で実行することができ、それによって基板の高さレベルを決定中に基板２を支持する基板支持体を加速する必要がなくなる。代替実施形態では、基板が静止している間に、レベルセンサ１が基板２を越えて移動することができる。別の実施形態では、レベルセンサ１と基板の両方を移動して、基板の表面を越えて測定位置を移動するのに最適経路を得ることができる。
【００４４】
好ましい実施形態では、レベルセンサに、レベルセンサ及び／又は基板の全体を移動せずに、測定ビームを基板の様々な位置に誘導するように構成された可動式光案内手段を提供してもよい。このようなレベルセンサでは、レベルセンサ及び／又は基板の全体を移動する必要がない状態で、基板の一部、例えば測定位置の線の少なくとも高さを測定することができる。このような実施形態では、基板全体の高さマップを得るために、レベルセンサに対して基板の必要な動作又は複雑な動作を少なくすることができる。
【００４５】
図５は、レベルセンサ１０１の別の実施形態を示す。図５のレベルセンサ１０１では、図２の実施形態と同じ又は類似の特徴は同じ参照番号で示されている。
【００４６】
レベルセンサ１０１は、基板２の幅を横切る線上に離間している様々な測定位置１０８にて基板の高さを測定するように構成される。測定位置１０８ごとに、レベルセンサ１０１は図２に示すレベルセンサのコンポーネントを備える。したがって、各測定位置１０８は、光源６及び投影格子７を備える投影ユニット、及び検出格子１１及び幾つかの検出器（図示せず）を備える検出ユニットに関連づけられる。さらに、光学要素９及び１０を設けて、投影ユニットからの測定ビームを測定位置に案内し、基板２で反射した後、測定位置から検出ユニットに案内する。
【００４７】
図示の実施形態では、測定位置１０８ごとに１つの光源６、１つの検出格子１１、及び３つ以上の検出器の組が提供される。すべての測定位置に１つの投影格子７及び一組の光学要素９及び１０がある。投影格子７及び光学要素は、このため測定位置１０８に沿って延在する。
【００４８】
代替実施形態では、測定位置８すべてに使用するために１つの検出格子１１を設けることができる。また、１つ又は複数の部品、例えば投影格子、検出格子などをすべてにではないが複数の測定位置８に設けることができる。
【００４９】
図５に示すレベルセンサは、１２の測定位置８で基板の高さを測定するように構成される。基板の全幅を、測定位置８のこの線でカバーすることができる。所望に応じて、異なる数の測定位置８を設けることができる。測定位置８は、また図５の実施形態に示されているような１本の線沿い以外の構成でも配置することができる。
【００５０】
図２に示すようなレベルセンサ１の構造は、複数の測定位置を有するレベルセンサで使用するのに特に適している。何故なら、レベルセンサは比較的大きい高さ範囲で基板２の表面の高さを測定できるからである。通常、測定のこのような大きさの高さの範囲は、基板の厚さ及び／又は平坦さの通常の変動より大きい。このように測定範囲が大きいので、従来技術のレベルセンサにある閉ループの高さ制御の要件を不要にすることができる。その結果、図５のレベルセンサを使用して、様々な測定位置における基板の高さの高低差による基板の位置を補正する必要がない状態で、複数の測定位置８にて基板の高さを同時に測定することができる。
【００５１】
複数の測定位置８を基板に沿って移動して、基板２上の多数の位置の高さ情報を得ることができる。この動作は、レベルセンサ１０１の動作、基板２の動作、及び／又はレベルセンサ１０１の光案内要素の動作、例えば光学要素９及び１０の動作によって得ることができる。また、これらの動作の組合せを使用して、実際のリソグラフィプロセス中に基板の補正動作のために使用する基板２の高さマップを得ることができる。
【００５２】
傾斜測定デバイス
図２は、基板の高さを比較的高い精度で測定することができるレベルセンサ１を示す。レベルセンサは、±５μｍ、又はさらに±１０μｍ、又は場合によってはさらに大きい高さ範囲内で確実な測定を提供することができる。しかし、投影格子の像が検出格子に対して焦点が外れると、レベルセンサはｘ軸を中心とする基板の傾斜に対して敏感になることがある。この影響は小さいが、基板２の傾斜を測定し、基板の高さマップを決定する場合に考慮することができる。基板の傾斜を考慮に入れることによって決定した高さを補正すると、高さマップの精度をさらに改良することができる。次に、基板の傾斜を測定することができるレベルセンサの例について説明する。
【００５３】
図６は、傾斜測定デバイス２０をさらに備える図２のレベルセンサを示す。傾斜測定デバイス２０は、反射した測定ビームの少なくとも一部を受けるように配置され、ｘ軸（Ｒｘ）を中心として名目平面２１に対する基板の傾斜を表すチルト信号を供給するように構成される。傾斜測定デバイス２０は、必要に応じて、レベルセンサ１が測定した高さレベルを補正するために処理ユニット５に接続されて、チルト信号を処理ユニット５に供給する。
【００５４】
レベルセンサ１では、基板２で反射した測定ビームを光学要素１０で受ける。光学要素１０は、測定ビームの主要部分、例えば光強度の８０％を検出ユニット４に向けて反射する部分反射鏡である。
【００５５】
測定ビームの残りは、部分反射鏡を透過し、傾斜測定デバイス２０内で基板の傾斜を検出するのに使用される。測定ビームのこの残りは、図６では傾斜測定ビーム２２として示されている。
【００５６】
傾斜測定ビーム２２はビーム分割デバイス２３で受ける。ビーム分割デバイス２３は、傾斜測定ビームを２つの部分に分割するように構成され、各部分は２つの傾斜検出器２４、２５の一方に誘導される。ビーム分割デバイス２３は、相互に面して配置された２つのウェッジを備える。下部ウェッジで受ける傾斜測定ビームの部分は傾斜検出器２４に案内され、上部ウェッジで受ける傾斜測定ビームの部分は傾斜検出器２５に案内される。ビーム分割デバイス２３の２つのウェッジは、傾斜に敏感な方向に離間している。
【００５７】
２つの傾斜検出器２４、２５が受ける放射の相対量の比率を比較すると、基板の傾斜が表される。例えば、基板を図６の矢印Ｔで示すように傾斜すると、上部ウェッジが受ける傾斜測定ビーム２２の部分は増大し、下部ウェッジが受ける部分は減少する。２つの傾斜検出器２４、２５が受ける放射の量の差を正規化して、傾斜検出器２４、２５が受ける光の強度の小さい差を決定することができる。それぞれの傾斜検出器２４、２５が受ける放射の量をこのように比較した結果、基板２の傾斜の小さい変動が検出される。
【００５８】
図６の傾斜測定デバイスは、基板の傾斜を測定して、傾斜測定デバイス２０によって決定された高さを補正するのに使用できる傾斜センサの一例にすぎない。基板の傾斜を測定することができる任意の他の傾斜測定デバイス２０を適用することができる。通常、レベルセンサの測定ビームが進む平面に対して垂直の軸を中心とする傾斜を測定することが望ましい。図示の実施形態では、測定ビームはｙ−ｚ面を進み、したがって測定される傾斜は、ｘ軸（Ｒｘ）を中心とする基板の傾斜である。
【００５９】
図６に示すような傾斜測定デバイス２０は、非常にコンパクトになるように構築することができ、したがって図５に示すような複数の測定位置のためのレベルセンサシステムに適用するのに適している。このようなレベルセンサでは、複数の測定位置の測定位置ごとに傾斜測定デバイス２０を提供して、測定位置８ごとに基板の傾斜変数を測定することができ、したがって測定位置８ごとに、レベルセンサ１０１が決定した高さを基板２の傾斜に対して補正することができる。
【００６０】
測定ビームデリバリシステム
図５には、複数の測定位置８で基板２の高さレベルを測定するように構成されたレベルセンサ１０１の上面図が示されている。このレベルセンサ１０１は、様々な測定位置８で基板２の高さを同時に測定する可能性を提供する。このレベルセンサはさらに、基板２の表面に沿った測定位置の開ループスキャンの可能性を提供する。所望に応じて、１つ又は複数の傾斜測定デバイスで基板２の傾斜を測定して、レベルセンサ１が測定した高さを補正し、基板２の傾斜による影響があれば、そのいずれに対しても測定した高さを補正することができる。
【００６１】
このレベルセンサは、基板２の高さマップを高速かつ正確に決定する可能性を提供するが、図５に示すようなレベルセンサは、基板２の上に有意の空間を必要とすることがある。このような空間は、リソグラフィ装置内の基板の上で常に使用可能なわけではない。
【００６２】
リソグラフィ装置で使用可能な空間をさらに効率的に使用するために、図７は、測定ビームを基板の複数の測定位置で供給し、複数の測定位置８が線上に配置される代替ビームデリバリ方法を示す。基板２は、測定位置に配置される。すなわち、レベルセンサの測定位置８の少なくとも１つが基板２上のどこかに配置され、したがって基板２の高さ測定を実行することができる。
【００６３】
測定位置８ごとに、光源６、投影格子７、検出格子１１及び３つの検出器（図示せず）が提供される。このようなレベルセンサのこれらのコンポーネントは、図２及び図５に示したレベルセンサで使用したコンポーネントに対応する。しかし、光源６及び投影格子７は基板２に隣接する一方側に設けられ、検出格子１１及び検出器は基板２に隣接する他方側に設けられる。基板２に対して異なるコンポーネントを異なる高さに配置することができるが、図示の実施形態では、すべてのコンポーネントが基板２より高い高さレベルに配置される。
【００６４】
この配置の利点は、基板２の上に配置されるコンポーネントがなく、基板２の一方側のすべてのコンポーネントが相互に近い状態で配置され、その結果、リソグラフィ装置内ですべてのコンポーネントに必要な空間が比較的小さくなることである。
【００６５】
「隣接する」という用語は、基板の主平面に垂直に投影された場合に、基板の外側にある位置を示すのに使用されることに留意されたい。「〜の上に」又は「〜の下に」という用語は、基板の主平面に垂直に投影された場合に、基板内にある位置を示す。
【００６６】
図８、図９及び図１０は、レベルセンサの測定ビームに必要な空間をさらに縮小できるさらなる実施形態を示す。図８、図９及び図１０の実施形態では、基板２の上に反射バー３０、３１が設けられる。反射バー３０、３１にはそれぞれ、傾斜反射面３０ａ、３１ａが設けられる（図９を参照）。
【００６７】
斜面３０ａ、３１ａの角度は、水平面に対して等しいことが望ましく、基板の表面に向けて配向される。角度は、実質的に水平面で反射バー３０が受ける測定ビームが基板２の測定位置８に向けて反射するように選択される。測定位置８で測定ビームが反射し、反射バー３１に向かって戻る。反射したビームは、反射バー３０で反射したのと実質的に同じ高さで反射バー３１上で受ける。測定ビームは、反射バー３１から実質的に水平方向に検出ユニット４へと案内される。
【００６８】
検出ユニット４内には、基板２の高さを表す信号を検出するために、別の光学要素を設けることができる。これらの信号は、検出ユニット４内に、又は任意の他の適切な位置に配置することができる処理ユニット内の測定位置で、基板２の高さを決定するために使用することができる。レベルセンサのコンポーネントは、上述した実施形態のコンポーネントと対応することができるが、任意の他の適切なレベルセンサデバイスも使用することができる。
【００６９】
センサのコンポーネントは、投影ユニット３及び検出ユニット４で示される。投影ユニット４は、複数の測定ビームを提供して、基板２の様々な測定位置８で高さレベルを測定するように構成される。測定ビームは、実質的に同じ高さで提供され、反射バー３０へと誘導される。反射した測定ビームはすべて、反射バー３１が実質的に同じ高さで受け、検出ユニット４に向けて誘導される。
【００７０】
図８、図９及び図１０に示す実施形態の測定ビームデリバリデバイスの利点は、測定ビームを基板２に対して比較的低い高さレベルに維持することができ、それと同時に投影ユニット３及び検出ユニット４が基板に隣接して配置され、これらのユニット３、４を提供するために使用可能な空間を大きくできることである。
【００７１】
図８、図９及び図１０に示す実施形態では、３つの測定位置８しか示されていない。実際には、さらに多くの測定位置８、例えば５０を超える測定位置を線に、又は任意の他の適切な構成で配置することができる。さらに、基板２は、基板の表面にわたって測定位置８を移動し、基板の表面全体にわたって基板の高さレベルを決定して、基板の高さマップを決定するために移動することができる。動作は、レベルセンサの動作及び／又は基板の動作、又は任意の他の適切な方法によって実現することができる。
【００７２】
図７、図８、図９及び図１０の実施形態の投影ユニット３及び／又は検出ユニット４は、必要に応じて、異なる測定ビーム間に測定ビームの光路長の差があればすべて補償する補償装置を備えることができることに留意されたい。
【００７３】
本文ではＩＣの製造におけるリソグラフィ装置の使用に特に言及しているが、本明細書で説明するリソグラフィ装置には他の用途もあることを理解されたい。例えば、これは、集積光学システム、磁気ドメインメモリ用誘導及び検出パターン、フラットパネルディスプレイ、液晶ディスプレイ（ＬＣＤ）、薄膜磁気ヘッドなどの製造である。こうした代替的な用途に照らして、本明細書で「ウェーハ」又は「ダイ」という用語を使用している場合、それぞれ、「基板」又は「ターゲット部分」という、より一般的な用語と同義と見なしてよいことが、当業者には認識される。本明細書に述べている基板は、露光前又は露光後に、例えばトラック（通常はレジストの層を基板に塗布し、露光したレジストを現像するツール）、メトロロジーツール及び／又はインスペクションツールで処理することができる。適宜、本明細書の開示は、以上及びその他の基板処理ツールに適用することができる。さらに基板は、例えば多層ＩＣを生成するために、複数回処理することができ、したがって本明細書で使用する基板という用語は、既に複数の処理済み層を含む基板も指すことができる。
【００７４】
光リソグラフィの分野での本発明の実施形態の使用に特に言及してきたが、本発明は文脈によってはその他の分野、例えばインプリントリソグラフィの分野でも使用することができ、光リソグラフィに限定されないことを理解されたい。インプリントリソグラフィでは、パターニングデバイス内のトポグラフィが基板上に作成されたパターンを画定する。パターニングデバイスのトポグラフィは、基板に供給されたレジスト層内に刻印され、電磁放射、熱、圧力又はそれらの組合せを印加することでレジストは硬化する。パターニングデバイスはレジストから取り除かれ、レジストが硬化すると内部にパターンが残される。
【００７５】
本明細書で使用する「放射」及び「ビーム」という用語は、イオンビーム又は電子ビームなどの粒子ビームのみならず、紫外線（ＵＶ）放射（例えば、３６５ｎｍ、２４８ｎｍ、１９３ｎｍ、１５７ｎｍ若しくは１２６ｎｍ、又はこれら辺りの波長を有する）及び極端紫外線光（ＥＵＶ）放射（例えば、５ｎｍ〜２０ｎｍの範囲の波長を有する）を含むあらゆるタイプの電磁放射を網羅する。
【００７６】
「レンズ」という用語は、状況が許せば、屈折、反射、磁気、電磁気及び静電気光学コンポーネントを含む様々なタイプの光学コンポーネントのいずれか一つ、又はその組合せを指すことができる。
【００７７】
以上、本発明の特定の実施形態を説明したが、説明とは異なる方法でも本発明を実践できることが理解される。例えば、本発明は、上記で開示したような方法を述べる機械読み取り式命令の１つ又は複数のシーケンスを含むコンピュータプログラム、又はこのようなコンピュータプログラムを内部に記憶したデータ記憶媒体（例えば半導体メモリ、磁気又は光ディスク）の形態をとることができる。
【００７８】
上記の説明は例示的であり、限定的ではない。それ故、以下の条項の範囲から逸脱することなく、記載されたような本発明を変更できることが当業者には明白である。
１．基板の高さレベルを決定するように構成されたレベルセンサであって、
測定ビームを前記基板に投影する投影ユニットであって、
測定ビームを提供する光源と、
前記測定ビームを受け、前記測定ビームに実質的に周期的な光強度を与えるように配置された投影格子と、
を備える投影ユニットと、
前記基板で反射した後に、前記測定ビームを受けるように配置された検出ユニットであって、
前記反射した測定ビームを受けるように配置された検出格子であって、前記検出格子が、一緒に前記検出格子に投影される前記投影ビームの周期の長さと実質的に等しい長さを有する３つ以上のセグメントの少なくとも１つのアレイを備え、前記３つ以上のセグメントが、前記反射した測定ビームを３つ以上の反射した測定ビーム部分に分割するように構成された検出格子と、
それぞれが前記３つ以上の測定ビーム部分のうちの１つを受けるように配置された３つ以上の検出器と、
を備える検出ユニットと、
前記３つ以上の検出器が受けた前記測定ビーム部分に基づいて高さレベルを計算する処理ユニットと、
を備えるレベルセンサ。
２．前記周期的な光強度が、正弦波形状を有する、条項１に記載のレベルセンサ。
３．前記検出格子が、３つ以上のセグメントの隣接する複数のアレイを備え、３つ以上のセグメントの各アレイが、前記周期的な光強度の周期と実質的に等しい長さを有する、条項１に記載のレベルセンサ。
４．前記レベルセンサが、複数の測定ビームを基板に向けて投影する複数の投影ユニットと、前記基板で反射した後に前記複数の測定ビームを受ける複数の検出ユニットとを備える、条項１に記載のレベルセンサ。
５．前記複数の投影ユニットの前記投影格子が、１つの投影格子要素に組み込まれる、条項４に記載のレベルセンサ。
６．前記複数の検出ユニットの前記検出格子が、１つの格子要素に組み込まれる、条項４に記載のレベルセンサ。
７．前記複数の投影ユニットが、複数の測定ビームを複数の測定位置に向けて投影するように構成され、前記複数の測定位置が、測定線上に配置される、条項４に記載のレベルセンサ。
８．３つ以上のセグメントの前記少なくとも１つのアレイの上面が、前記測定ビームの入射角に対して異なる角度を有する、条項１に記載のレベルセンサ。
９．前記レベルセンサが、傾斜測定デバイスをさらに備え、前記傾斜測定デバイスが、前記反射測定ビームの少なくとも一部を受けるように配置され、名目平面に対する前記基板の傾斜を表すチルト信号を提供するように構成される、条項１に記載のレベルセンサ。
１０．前記傾斜測定デバイスが、前記基板の前記傾斜に基づいて、前記測定デバイスによって測定された前記高さレベルを補正するために、前記処理ユニットに接続されて、前記チルト信号を前記処理ユニットに供給する、条項９に記載のレベルセンサ。
１１．前記投影ユニット及び前記検出ユニットが、前記基板に隣接して配置され、前記基板が、前記測定位置に配置される、条項１３に記載のリソグラフィ装置。
１２．前記レベルセンサが、前記投影ユニットから前記複数の測定ビームを受け、前記測定ビームを前記基板に誘導するように配置された第１の反射バーと、前記投影ユニットから前記反射した複数の測定ビームを受け、前記測定ビームを前記検出ユニットに誘導するように配置された第２の反射バーとを備える、条項１に記載のレベルセンサ。
１３．前記第１の反射バーが、前記基板の主平面に実質的に平行な平面で、前記投影ユニットから前記複数の測定ビームを受けるように構成され、前記第２の反射バーが、前記基板の主平面に実質的に水平な平面で、前記検出ユニットに前記複数の測定ビームを誘導するように構成される、条項５に記載のレベルセンサ。
１４．リソグラフィ装置であって、
放射ビームを調節するように構成された照明システムと、
パターン付放射ビームを形成するために前記放射ビームの断面にパターンを与えることができるパターニングデバイスを支持するように構築された支持体と、
基板を保持するように構築された基板テーブルと、
前記パターン付放射ビームを前記基板のターゲット部分に投影するように構成された投影システムと、
を備え、
前記リソグラフィ装置が、前記基板テーブル上の基板の高さレベルを測定するように構成されたレベルセンサを備え、前記レベルセンサが、
測定ビームを前記基板に投影する投影ユニットであって、
測定ビームを提供する光源と、
前記測定ビームを受け、前記測定ビームに実質的に周期的な光強度を与えるように配置された投影格子と、
を備える投影ユニットと、
前記基板で反射した後に前記測定ビームを受けるように配置された検出ユニットであって、
前記反射測定ビームを受けるように配置された検出格子であって、前記検出格子が、一緒に前記検出格子に投影される前記投影ビームの周期の長さと実質的に等しい長さを有する３つ以上のセグメントの少なくとも１つのアレイを備え、前記３つ以上のセグメントが、前記反射した測定ビームを３つ以上の反射測定ビーム部分に分割するように構成された検出格子と、
それぞれが３つ以上の測定ビーム部分のうちの１つを受けるように配置された３つ以上の検出器と、
を備える検出ユニットと、
前記３つ以上の検出器が受けた前記測定ビーム部分に基づいて高さレベルを計算する処理ユニットと、
を備えるリソグラフィ装置。
１５．前記投影ユニット及び前記検出ユニットが、前記基板に隣接して配置され、前記基板が、前記測定位置に配置される、条項１３に記載のリソグラフィ装置。
１６．リソグラフィプロセスで使用するために基板の高さマップを決定する方法であって、
条項１に記載のレベルセンサを提供するステップと、
基板を提供するステップと、
前記投影ユニットによって測定ビームを前記基板に投影し、前記検出ユニットで前記反射ビームを受け、前記処理ユニット内で高さレベルを決定することにより、測定位置で前記基板の前記高さを測定するステップと、
前記基板の複数の測定位置で前記測定ステップを繰り返すステップと、
前記高さレベルに基づいて前記基板の高さマップを決定するステップと、
を含む方法。
１７．前記レベルセンサが、複数の測定ビームを前記基板の複数の測定位置に向けて投影する複数の投影ユニットと、前記複数の測定位置で反射した後に前記複数の測定ビームを受ける複数の検出ユニットとを備える、条項１６に記載の方法。
１８．前記基板の高さを測定する前記ステップが、前記複数の測定位置で同時に実行される、条項１７に記載の方法。
１９．前記複数の測定位置が、１本の線上に配置される、条項１７に記載の方法。
２０．前記測定するステップが、前記基板の様々な部分を前記レベルセンサの前記測定位置に配置するために、前記レベルセンサに対して前記基板を移動するステップを含む、条項１６に記載の方法。
【図１】
2011203248.tif 000006
【図２】
2011203248.tif 000007
【図３】
2011203248.tif 000008
【図４】
2011203248.tif 000009
【図５】
2011203248.tif 000010
【図６】
2011203248.tif 000011
【図７】
2011203248.tif 000012
【図８】
2011203248.tif 000013
【図９】
2011203248.tif 000014
【図１０】
2011203248.tif 000015
【外国語明細書】
2011203248000001.pdf